(57)【特許請求の範囲】
【請求項１】
空気中の塵埃を捕らえるフィルターを移動自在に収納し、前面に、前記フィルターを取り出すための開口部が形成された装置本体と、
前記装置本体の前面に取り付けられ、前記開口部を覆って前記フィルターの移動を案内するフィルターガイドと、
前記フィルターガイドとは別体であり、前記装置本体の前面に着脱自在に取り付けられ、前記フィルターにより捕らえられた塵埃を貯めるとともに、前記フィルターガイドを少なくとも後方に押圧して前記フィルターガイドを前記装置本体における前記フィルターガイドの取付位置に固定するダストボックスと
を備え、
前記ダストボックスは、上面に、前記フィルターガイドに対向する対向部と、前記対向部より前の位置から板状に突出する突出部とが設けられ、前記突出部の厚さ方向の両面のうち一面によって前記フィルターガイドを後方に押圧する空気調和機用のフィルター清掃装置。
【請求項２】
前記突出部の厚さ方向の両面のうち前記フィルターガイドを後方に押圧する面に、前記フィルターガイドに接触するリブが設けられている請求項１に記載の空気調和機用のフィルター清掃装置。
【請求項３】
前記リブは、前記ダストボックスの左右方向に沿って複数設けられている請求項２に記載の空気調和機用のフィルター清掃装置。
【請求項４】
前記ダストボックスは、下面に、前記装置本体を押圧する持ち上げリブが設けられている請求項１から３のいずれか１項に記載の空気調和機用のフィルター清掃装置。
【請求項５】
前記持ち上げリブは、球状である請求項４に記載の空気調和機用のフィルター清掃装置。
【請求項６】
前記持ち上げリブは、前記ダストボックスの左右方向に沿って複数配置されている請求項４または５に記載の空気調和機用のフィルター清掃装置。
【請求項７】
請求項１から６のいずれか１項に記載の空気調和機用のフィルター清掃装置と、
前記フィルター清掃装置が設置された室内機本体と
を備える空気調和機。
【発明の詳細な説明】
【技術分野】
【０００１】
本発明は、空気調和機用のフィルター清掃装置及び空気調和機に関するものである。本発明は、例えば、空気調和機の室内機に設置されたエアーフィルター（単に「フィルター」ともいう）によって捕捉された塵、埃、糸くず等（総称して「塵埃」という）を除去するエアーフィルター清掃装置に関するものである。
【背景技術】
【０００２】
従来のフィルター清掃装置として、空気調和機の室内機の内部に形成された風路に移動自在に配置されるエアーフィルターと、エアーフィルターを案内しながら搬送するフィルターガイドと、着脱自在に設置されたダストボックスとを備えるものがある（例えば、特許文献１及び特許文献２参照）。フィルターガイドの一部は、エアーフィルターと前面パネルとの間にあって、エアーフィルターの搬送路となる前面フィルターガイド（単に「フィルターガイド」ともいう）になっている。ダストボックスは、エアーフィルターを自動で清掃するブラシを有している。
【先行技術文献】
【特許文献】
【０００３】
【特許文献１】特開２００７−９３１４７号公報
【特許文献２】特開２００９−１４４９７２号公報
【特許文献３】特開２０１２−１４５２５６号公報
【特許文献４】特開２００９−１１０８７９号公報
【特許文献５】実開昭５９−４９１１号公報
【特許文献６】特表２０１０−５２５２８６号公報
【発明の概要】
【発明が解決しようとする課題】
【０００４】
従来のフィルター清掃装置には、以下の課題があった。
（１）前面フィルターガイドは、可動部材である。所定の位置に前面フィルターガイドを固定するために、ストッパー部材が用いられる。ユーザーがストッパー部品の操作を忘れると、前面フィルターガイドが前後に動いてエアーフィルターが浮いてしまい、エアーフィルターが搬送ギアから外れる等、搬送に支障が出るおそれがある。
（２）ユーザーがエアーフィルターを取り出す際には、エアーフィルターが露出していなければならない。そのため、前面フィルターガイドが上記所定の位置から天面方向に跳ね上げられる。しかし、その状態を保つには、ユーザーが前面フィルターガイドを手で支えるか、何らかの固定機構によって前面フィルターガイドが固定されるようになっていなければならない。
（３）前面フィルターガイドを固定するためのストッパー部材の構成は複雑であり、部品点数が多いため、コストが高い。
（４）ユーザーがストッパー部材を確実に止めた場合でも、ストッパー部材の可動部分の嵌合が甘いため、エアーフィルターが搬送されている最中に前面フィルターガイドが前後にわずかに動く。そのため、エアーフィルターとギアとの噛み合わせが甘くなり、エアーフィルターが搬送ギアから外れる懸念がある。
（５）前面フィルターガイドを固定するためのストッパー部材は両サイドにある。よって、両サイドは固定されるものの、前面フィルターガイドの中央部分は固定が甘いため、中央だけが前後にわずかに動く。そのため、エアーフィルターとギアとの噛み合わせが甘くなり、エアーフィルターが搬送ギアから外れる懸念がある。
（６）メンテナンスが可能な空気清浄フィルターを設置する場合、正規の位置がわかりにくいため、ユーザーが空気清浄フィルターを正規の位置に確実に設置できない。
（７）ダストボックスが四角形状であり、スペースをとる。特に、ダストボックスが高さ方向のスペースを大きくとりすぎてしまい、室内機の高さ寸法が大きくなる。
（８）ダストボックスが前面フィルターガイドと一体に形成される場合、ダストボックス側に、前述したストッパー部材が取り付けられる。ストッパー部材は、奥行方向のスペースをとるため、室内機の奥行寸法が大きくなる。
【０００５】
本発明は、例えば、空気調和機のフィルター清掃装置のフィルターガイドを確実に固定することを目的とする。
【課題を解決するための手段】
【０００６】
本発明の一の態様に係る空気調和機用のフィルター清掃装置は、
空気中の塵埃を捕らえるフィルターを移動自在に収納し、前面に、前記フィルターを取り出すための開口部が形成された装置本体と、
前記装置本体の前面に取り付けられ、前記開口部を覆って前記フィルターの移動を案内するフィルターガイドと、
前記フィルターガイドとは別体であり、前記装置本体の前面に着脱自在に取り付けられ、前記フィルターにより捕らえられた塵埃を貯めるとともに、前記フィルターガイドを少なくとも後方に押圧して前記フィルターガイドを前記装置本体における前記フィルターガイドの取付位置に固定するダストボックスとを備え、
前記ダストボックスは、上面に、前記フィルターガイドに対向する対向部と、前記対向部より前の位置から板状に突出する突出部とが設けられ、前記突出部の厚さ方向の両面のうち一面によって前記フィルターガイドを後方に押圧する。
【発明の効果】
【０００７】
本発明に係る空気調和機用のフィルター清掃装置では、ダストボックスが、フィルターガイドを押圧してフィルターガイドを装置本体におけるフィルターガイドの取付位置に固定する。このため、本発明によれば、フィルターガイドを確実に固定することができる。
【図面の簡単な説明】
【０００８】
【図１】実施の形態１に係る空気調和機の室内機の断面図。
【図２】実施の形態１に係るフィルター清掃装置の斜視図。
【図３】実施の形態１に係るフィルター清掃装置の断面図。
【図４】実施の形態１に係るフィルター清掃装置の分解斜視図。
【図５】実施の形態１に係るフィルター清掃装置の前面フィルターガイドの閉状態を示す部分斜視図。
【図６】実施の形態１に係るフィルター清掃装置の前面フィルターガイドの開状態を示す部分斜視図。
【図７】実施の形態１に係るフィルター清掃装置の前面フィルターガイドの斜視図。
【図８】実施の形態１に係るフィルター清掃装置の前面フィルターガイドの斜視図。
【図９】実施の形態１に係るフィルター清掃装置のダストボックスの斜視図。
【図１０】実施の形態１に係るフィルター清掃装置のダストボックスの斜視図。
【図１１】実施の形態１に係るフィルター清掃装置のダストボックスの斜視図。
【図１２】実施の形態１に係るフィルター清掃装置のダストボックスの断面図。
【図１３】実施の形態１に係るフィルター清掃装置のダストボックスの断面図。
【図１４】実施の形態１に係るフィルター清掃装置のダストボックスの断面図。
【図１５】実施の形態１に係るフィルター清掃装置のダストボックスの断面図。
【図１６】実施の形態１に係るフィルター清掃装置のダストボックスを切断してダストボックスの下部のみを示した斜視図。
【図１７】実施の形態１に係る空気清浄フィルターの斜視図。
【発明を実施するための形態】
【０００９】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、装置、器具、部品等の構成について、その材質、形状、大きさ等は、本発明の範囲内で適宜変更することができる。
【００１０】
実施の形態１．
図１は、本実施の形態に係る空気調和機の室内機１０の断面図である。
【００１１】
図１に示すように、空気調和機の室内機１０は、室内機本体１１（筐体）と、室内機本体１１の内部に設置され、空気を吸引するとともに吸引した空気を吹き出す送風ファン１２と、送風ファン１２が形成する風路内に配置され、吸引した空気を調和する熱交換器１３ａ，１３ｂ，１３ｃと、吸引した空気に含まれる塵埃を捕捉する左右のエアーフィルター１４と、左右のエアーフィルター１４をそれぞれ清掃する左右のフィルター清掃装置１５とを備えている。
【００１２】
前面側上段の熱交換器１３ａと、前面側下段の熱交換器１３ｂと、背面側の熱交換器１３ｃは、室内空気を吸い込むための吸込口１６から、調和された室内空気を吹き出すための吹出口１７に至る風路において送風ファン１２を取り囲むように配置される。熱交換器１３ａ，１３ｂ，１３ｃは、吸い込まれた空気を調和（冷却、加熱、除湿等）する。前面側下段の熱交換器１３ｂの下方には、結露水の回収と風路の形成とを兼ねたノズル１８が配置される。なお、本実施の形態では、熱交換器１３ａ，１３ｂ，１３ｃが送風ファン１２の天面側及び前面側を取り囲むように配置されているが、他の配置形態を採用してもよい。
【００１３】
吸込口１６は、室内機本体１１の上面側に設けられる。吹出口１７は、室内機本体１１の下面側に設けられる。吹出口１７は、上下風向可変ベーン１９によって、その開口の方向と大きさとが調節される。吹出口１７の奥には、左右風向可変ベーン（図示していない）が設けられる。
【００１４】
エアーフィルター１４は、室内機本体１１の吸込口１６と前面側上段及び背面側の熱交換器１３ａ，１３ｃとの間において、吸込口１６の全体を覆うように配置される。
【００１５】
フィルター清掃装置１５は、室内機本体１１の前面側上部において、前面側上段及び前面側下段の熱交換器１３ａ，１３ｂと前面パネル２０との間に設置される。なお、本実施の形態では、フィルター清掃装置１５が左右に一台ずつ、合計二台設置されているが、フィルター清掃装置１５の台数はエアーフィルター１４の枚数に応じて適宜変更することができる。例えば、エアーフィルター１４を一枚として、フィルター清掃装置１５を一台のみ設置してもよい。或いは、エアーフィルター１４を三枚以上として、フィルター清掃装置１５を三台以上設置してもよい。
【００１６】
空気調和機の室内機１０は、さらに、エアーフィルター１４を通過した空気を清浄化する左右の空気清浄フィルター２１を備えている。
【００１７】
空気清浄フィルター２１は、室内機本体１１の前面側上段及び前面側下段の熱交換器１３ａ，１３ｂの上流側に配置される。なお、本実施の形態では、空気清浄フィルター２１が左右に一個ずつ、合計二個設置されているが、空気清浄フィルター２１の個数は適宜変更することができる。空気清浄フィルター２１は、省略してもよい。また、空気清浄フィルター２１の代わりに、空気清浄装置（空気清浄機）が用いられてもよい。
【００１８】
ここで、空気調和機の動作について説明する。
【００１９】
電源が投入されると、空気調和機の室外機（図示していない）では、圧縮機（図示していない）が冷媒を圧縮して吐出する。
【００２０】
空気調和機の室内機１０では、圧縮機から吐出された冷媒が熱交換器１３ａ，１３ｂ，１３ｃに流れる。送風ファン１２が回転すると、吸込口１６から吸い込まれた室内空気は、エアーフィルター１４を介して塵埃が除去された後、熱交換器１３ａ，１３ｂ，１３ｃによって冷媒と熱交換される。このとき、熱交換器１３ａ，１３ｂ，１３ｃを、その上流から下流に向かって通過する空気は、空気清浄フィルター２１によって清浄化される。
【００２１】
熱交換器１３ａ，１３ｂ，１３ｃで熱交換された室内空気は、吹出口１７から室内へ吹き出される。このとき、上下風向可変ベーン１９及び左右風向可変ベーンの角度に応じた方向に空気が吹き出される。空気調和機の使用者（ユーザー）は、上下風向可変ベーン１９及び左右風向可変ベーンの角度を手動又はリモートコントローラにて設定することができる。空気調和機の室内機１０が赤外線センサ（図示していない）を備えている場合は、空気調和機の室内機１０が室内の温度分布や人の位置等を検出することにより、自動的に上下風向可変ベーン１９及び左右風向可変ベーンの角度を調節することもできる。
【００２２】
上記の一連の動作が繰り返され、その結果、室内空気は、塵埃が除去され、継続的に冷やされたり、暖められたりする。これにより、室内空気質が変化する。
【００２３】
図２は、フィルター清掃装置１５の斜視図である。図３は、フィルター清掃装置１５の断面図である。図４は、フィルター清掃装置１５の分解斜視図である。図４には、フィルター清掃装置１５に収納されるエアーフィルター１４と、フィルター清掃装置１５により保持される空気清浄フィルター２１も示している。
【００２４】
図２から図４に示すように、フィルター清掃装置１５は、エアーフィルター搬送ガイド２２と、エアーフィルター搬送ガイド２２に設置されるエアーフィルター収納ガイド２３及びエアーフィルター搬送カバー２４と、エアーフィルター搬送ガイド２２に設置された前面フィルターガイド２５及びダストボックス２６とを備えている。
【００２５】
エアーフィルター搬送ガイド２２は、互いに対向した一対の搬送ガイド側板と、搬送ガイド側板から同一面で延長された搬送ガイド縦桟と、搬送ガイド側板同士及び搬送ガイド縦桟同士を連結する搬送ガイド横桟と、搬送ガイド横桟の一部同士を連結する搬送ガイド補強桟とを有している。
【００２６】
エアーフィルター搬送ガイド２２の対向する一対の搬送ガイド側板には、両端を回転自在に支持されたエアーフィルター駆動軸が設置される。搬送ガイド側板のエアーフィルター駆動軸（移動軸に同じ）が設置されない側には、エアーフィルター駆動軸を回転駆動する駆動モーターが設置されている。そして、エアーフィルター１４に形成されたエアーフィルター従動ラックに噛み合う搬送ギア２７が、エアーフィルター駆動軸に設置されている。
【００２７】
エアーフィルター搬送ガイド２２の搬送ガイド縦桟の互いに対向した面には、エアーフィルター１４の側縁が侵入自在な搬送ガイド溝を形成するための搬送ガイド縦フランジが設置されている。
【００２８】
エアーフィルター搬送カバー２４は、風路に配置される枠体である。エアーフィルター搬送カバー２４は、一対の搬送カバー縦桁と、搬送カバー縦桁を連結する搬送カバー横桁と、搬送カバー横桁同士を連結する搬送カバー補強桁とを有している。
【００２９】
エアーフィルター搬送カバー２４の搬送カバー縦桁の互いに対向した面には、エアーフィルター１４の側縁が侵入自在な搬送ガイド溝を形成するための搬送カバー縦フランジが設置されている。
【００３０】
エアーフィルター搬送カバー２４の搬送カバー縦桁とエアーフィルター搬送ガイド２２の搬送ガイド縦桟とが接合される（正確には、左側の搬送カバー縦桁が、左側のエアーフィルター搬送ガイド２２の左側の搬送ガイド縦桟に接合され、右側の搬送カバー縦桁が、右側のエアーフィルター搬送ガイド２２の右側の搬送ガイド縦桟に接合される）。このとき、前者の搬送カバー縦フランジと後者の搬送ガイド縦フランジとは、互いに所定の間隔を空けて対向し、その間隔によって、エアーフィルター１４の側縁が侵入自在な搬送ガイド溝が形成される。搬送カバー補強桁と搬送ガイド補強桟との間にも、エアーフィルター１４が侵入自在の間隔が形成されるから、搬送カバー補強桁と搬送ガイド補強桟とによって、搬送ガイド溝に相当する案内手段が形成される。
【００３１】
エアーフィルター収納ガイド２３は、互いに対向した一対の収納ガイド側板と、収納ガイド側板の一部に形成され、エアーフィルター駆動軸が侵入する収納ガイド切欠部と、収納ガイド側板同士を連結する収納ガイド横桟と、収納ガイド横桟の一部同士を連結する収納ガイド補強桟とを有している。
【００３２】
エアーフィルター収納ガイド２３の収納ガイド側板の互いに対向した面には、エアーフィルター１４の側縁が侵入自在な収納ガイド溝が形成されている。収納ガイド溝は、略螺旋状であって、一端が収納ガイド切欠部に近接した直線状部分と、その直線状部分に連続した約一巻き半の略円弧状部分とからなっている。
【００３３】
エアーフィルター１４は、矩形状のエアーフィルター通気体（網状体）と、エアーフィルター枠体とから構成されている。エアーフィルター１４の外郭を形成する（外側の）一対のエアーフィルター縦桟の裏面（エアーフィルター通気体が設置されていない面）には、その長手方向（縦方向）に等間隔に凹凸のパターンであるエアーフィルター従動ラックが形成されている（正確な歯形形状に限定するものではない）。
【００３４】
ここで、エアーフィルター１４が移動する動作について説明する。
【００３５】
エアーフィルター搬送ガイド２２は、室内機本体１１の前面側の上面寄りで、上面の吸込口１６に沿うように配置されている。そして、エアーフィルター搬送ガイド２２の搬送ガイド側板にエアーフィルター収納ガイド２３が設置され、エアーフィルター収納ガイド２３の収納ガイド切欠部が前面寄りの位置に、収納ガイド溝がその後方（熱交換器１３ａ寄り）に位置している。さらに、エアーフィルター搬送ガイド２２の搬送ガイド縦桟にエアーフィルター搬送カバー２４が設置されている。
【００３６】
したがって、エアーフィルター１４の側縁は、エアーフィルター搬送ガイド２２の搬送ガイド縦フランジとエアーフィルター搬送カバー２４の搬送カバー縦フランジとの隙間である搬送ガイド溝に侵入した状態で、エアーフィルター１４のほとんどの範囲が巻き戻される（拡げられる）。このとき、エアーフィルター１４の一方の端部（先端部）は、ダストボックス２６の上面部と搬送ギア２７とに挟まれた状態で、側面視において曲率半径の小さな略円弧を呈している。
【００３７】
搬送ギア２７が回転（正転）すると、エアーフィルター１４の両側縁は、収納ガイド溝に向かって送り出される。エアーフィルター１４の先端部は、初めは、収納ガイド溝の直線状部分により案内されて略直線状に移動するが、収納ガイド溝の略円弧状部分に到達すると、螺旋状（円弧状）に移動する。そして、エアーフィルター１４の他方の端部（後端部）が搬送ギア２７に近づいたとき、エアーフィルター１４の大部分が、約一巻き半の略螺旋状に巻かれた状態になっている。この移動の間、エアーフィルター１４のエアーフィルター通気体は、風路の風上側の面にダストボックス２６の除塵ブラシが当接し、除塵が実行される。
【００３８】
一方、搬送ギア２７が反対の方向に回転（逆転）すると、エアーフィルター１４が巻き戻され、エアーフィルター１４の両側縁は、搬送ガイド溝に送り出される。エアーフィルター１４が風路の全域を覆ったところで、搬送ギア２７の回転が停止する。このとき、エアーフィルター１４のエアーフィルター従動ラックの一部は、搬送ギア２７に噛み合っている。
【００３９】
上記のように、エアーフィルター搬送ガイド２２及びエアーフィルター搬送カバー２４（フィルター清掃装置１５の装置本体）は、空気中の塵埃を捕らえるエアーフィルター１４（フィルター）を移動自在に収納するが、エアーフィルター１４は、フィルター清掃装置１５の内部で移動するだけでなく、フィルター清掃装置１５の外部に取り出すこともできる。
【００４０】
図５は、前面フィルターガイド２５の閉状態を示す部分斜視図である。図５では、ダストボックス２６が取り外された状態を示している。図６は、前面フィルターガイド２５の開状態を示す部分斜視図である。図７及び図８は、前面フィルターガイド２５の斜視図である。
【００４１】
図５及び図６に示すように、前面フィルターガイド２５（フィルターガイド）は、エアーフィルター搬送ガイド２２及びエアーフィルター搬送カバー２４（フィルター清掃装置１５の装置本体）の前面に開閉自在に取り付けられる。
【００４２】
エアーフィルター搬送ガイド２２（フィルター清掃装置１５の装置本体）の前面には、エアーフィルター１４を取り出すための開口部２８が形成されている。前面フィルターガイド２５は、閉状態において、開口部２８を覆ってエアーフィルター１４の移動を案内する。
【００４３】
エアーフィルター搬送ガイド２２（フィルター清掃装置１５の装置本体）の開口部２８より下の位置において、前面フィルターガイド２５を開閉するための前面フィルターガイド２５の回転軸が形成されている。一方、エアーフィルター搬送カバー２４（フィルター清掃装置１５の装置本体）の開口部２８より上の位置において、前面フィルターガイド２５の閉状態にて前面フィルターガイド２５の回転中心から遠い側の端部を固定するための固定部２９が設けられている。よって、前面フィルターガイド２５の閉状態では、前面フィルターガイド２５の回転中心に近い側の端部（閉状態では下端部）だけでなく、前面フィルターガイド２５の回転中心から遠い側の端部（閉状態では上端部）もフィルター清掃装置１５の装置本体に固定される。このため、本実施の形態によれば、前面フィルターガイド２５を確実に固定することができる。
【００４４】
図６に示すように、前面フィルターガイド２５は、開状態にて自重により垂れ下がる（重力、及び、下方に他の部品がある場合にはその力を受けて位置が決まる）。このため、本実施の形態によれば、前面フィルターガイド２５を開状態に保つために、ユーザーが前面フィルターガイド２５を手で支える必要はなく、何らかの固定機構によって前面フィルターガイド２５が固定されるようになっている必要もない。
【００４５】
前面フィルターガイド２５は、室内機本体１１に取り付けられた前面パネル２０とエアーフィルター１４との間に位置する可動部材である。前面フィルターガイド２５には、エアーフィルター１４が移動時に接するガイド部が備えられており、エアーフィルター１４の搬送路となっている。前面フィルターガイド２５は、ユーザーがエアーフィルター１４を容易に取り出せるように、エアーフィルター１４が露出する位置に移動する（即ち、開く）ことができる。
【００４６】
従来は、エアーフィルターを手動で清掃する際や汚れを確認する際には、前面フィルターガイドを天面方向に跳ね上げて、エアーフィルターを露出させていた。したがって、所定の位置に前面フィルターガイドを固定するためには、両サイドにストッパー部材が必要であった。しかし、ユーザーがストッパー部材の止め操作を忘れると、前面フィルターガイドが固定されないため、前面フィルターガイドのガイド部が前後に動いてエアーフィルターが前後に動いたり、浮いたりしまい、エアーフィルターが搬送ギアから外れる等の搬送不具合があった。また、前面フィルターガイドを固定するためのストッパー部材の構成が複雑になり、部品点数が増えて、生産コストが上昇していた。
【００４７】
従来は、ユーザーがストッパー部材を確実に止めた場合でも、ストッパー部材という可動部分に嵌合部分が存在するために、エアーフィルターが搬送されている最中に前面フィルターガイドが前後に嵌合の隙間分だけわずかに動いてしまっていた。また、ストッパー部材は、前面フィルターガイドの両サイドにあるため、両サイドは固定されるものの、前面フィルターガイドの幅方向の中央付近では固定部分から遠いために前後方向に動いてしまっていた。それによってエアーフィルターとギアの噛み合わせが甘くなり、エアーフィルターが搬送ギアから外れる懸念があった。
【００４８】
そこで、本実施の形態では、図５から図８に示すように、室内機本体１１の前面に備えられた前面パネル２０とエアーフィルター１４との間に位置する前面フィルターガイド２５が、一方の端部（根元部）に回転軸を形成し、他方の端部（先端部）に係止部３０，３１を備えている。
【００４９】
係止部３０は、貫通穴３２を設けた凸形状をしており、エアーフィルター搬送カバー２４に備えられた凸部３３に係止される。係止部３０は、前面フィルターガイド２５の先端部の幅方向の中央近傍に設けられている。そのため、前面フィルターガイド２５は、両サイドだけでなく、幅方向の中央でも固定される。よって、幅方向のどの位置でも、搬送中のエアーフィルター１４が前後に動いてしまって搬送ギア２７から外れるということがなくなる。なお、係止部３０は、前面フィルターガイド２５の先端部の幅方向に複数設けられていてもよい。
【００５０】
このように、本実施の形態において、固定部２９は、凸部３３を有する。前面フィルターガイド２５は、回転中心から遠い側の端部（先端部）の中央に、閉状態にて固定部２９の凸部３３が嵌められる貫通穴３２が形成されている。よって、前面フィルターガイド２５の閉状態では、前面フィルターガイド２５の根元部だけでなく、前面フィルターガイド２５の先端部もフィルター清掃装置１５の装置本体に固定される。このため、本実施の形態によれば、前面フィルターガイド２５を確実に固定することができる。
【００５１】
係止部３１は、一つ又は複数の突起であり、エアーフィルター搬送カバー２４に備えられた、下方向に開口したコの字状の溝（図示していない）に係止される。係止部３１は、前面フィルターガイド２５の先端部の幅方向に複数設けられている。そのため、前面フィルターガイド２５は、両サイドだけでなく、幅方向にわたって固定される。よって、幅方向のどの位置でも、搬送中のエアーフィルター１４が前後に動いてしまって搬送ギア２７から外れるということがなくなる。なお、係止部３１は、前面フィルターガイド２５の先端部の幅方向の中央近傍に、係止部３０の代わりに設けられていてもよい。
【００５２】
このように、本実施の形態において、固定部２９は、溝（凹部）を有する。前面フィルターガイド２５は、回転中心から遠い側の端面（先端面）に、閉状態にて固定部２９の溝に嵌められる係止部３１（突起）が設けられている。よって、前面フィルターガイド２５の閉状態では、前面フィルターガイド２５の根元部だけでなく、前面フィルターガイド２５の先端部もフィルター清掃装置１５の装置本体に固定される。このため、本実施の形態によれば、前面フィルターガイド２５を確実に固定することができる。
【００５３】
前面フィルターガイド２５の根元部の両側面には、突出部３４がある。エアーフィルター搬送ガイド２２の搬送ガイド側板には、ガイド穴３５が開けられている。ガイド穴３５は、下部が円形で上部幅が下部幅に比べて狭い鍵形状の穴である。係止部３０，３１が固定部２９に係止された状態（即ち、前面フィルターガイド２５の閉状態）では、突出部３４がガイド穴３５の上部に挿入されている。突出部３４の太さは、ガイド穴３５の上部幅と略等しい。係止部３０，３１が外れると、突出部３４は、ガイド穴３５の中を上部から下部の円形部分に向かって上下に所定の距離だけ移動する。ガイド穴３５の下部の円形部分は、回転軸受となる。前面フィルターガイド２５の先端部を持って手前に引くと、突出部３４は、ガイド穴３５の内周面に当たったまま、ガイド穴３５の下部の円の中を回転運動する。突出部３４の周囲には、回転しやすいように曲面部が形成されている。そのため、前面フィルターガイド２５は、根元部の両端に備えられた突出部３４を回転軸として下方向に弧を描いてスムーズに回転し、これにより、先端部が移動して開口部２８からエアーフィルター１４が露出する。よって、エアーフィルター１４を容易に取り出すことができる。
【００５４】
このように、本実施の形態において、エアーフィルター搬送ガイド２２（フィルター清掃装置１５の装置本体）の開口部２８より下の位置には、下部が円形状で上部が下部よりも幅の狭い長尺状になっているガイド穴３５が一対形成されている。前面フィルターガイド２５は、回転中心に近い側の端部（根元部）の両側面に、ガイド穴３５に嵌められる突出部３４が設けられている。前面フィルターガイド２５が閉状態から開状態に変わる際には、突出部３４がガイド穴３５の上部でスライドしてからガイド穴３５の下部で回転する。即ち、前面フィルターガイド２５は、閉状態にて回転中心から遠い側の端部（先端部）が固定部２９から外されると、下方に移動してから回転して開状態に変わる。よって、前面フィルターガイド２５の閉状態では、前面フィルターガイド２５が下方と異なる方向である前後方向には動かない。このため、本実施の形態によれば、エアーフィルター１４と搬送ギア２７との噛み合わせが甘くなってエアーフィルター１４が搬送ギアから外れることを防止できる。
【００５５】
図５に示すように、前面フィルターガイド２５とダストボックス２６は一体となっておらず、別体で形成される。図６に示すように、ダストボックス２６を外した後に生まれるスペース、つまりダストボックス２６が元々設置されていたスペースには、回転移動した後の前面フィルターガイド２５が配置される。ダストボックス２６の上方に前面フィルターガイド２５を別体に設けることで、両方を効率的に収納できる。また、前面フィルターガイド２５が回転する際に他の部材に干渉することなく、回転軌跡を確保することができる。
【００５６】
このように、本実施の形態において、エアーフィルター１４により捕らえられた塵埃を貯めるダストボックス２６は、前面フィルターガイド２５と別体に、エアーフィルター搬送ガイド２２（フィルター清掃装置１５の装置本体）の前面に着脱自在に取り付けられる。このため、ユーザーは、ダストボックス２６に貯まった塵埃を棄てる際にダストボックス２６のみを取り外せばよく、前面フィルターガイド２５を取り外す必要はない。なお、前面フィルターガイド２５は、簡単には取り外せないようにすることが望ましい。
【００５７】
前面フィルターガイド２５のエアーフィルター１４側（閉状態のとき）の面の少なくとも側端部には、フィルター跳ね上げ突起３６が設けられている。フィルター跳ね上げ突起３６は、前面フィルターガイド２５が閉状態のときには、エアーフィルター１４の下部枠の下側に潜り込んでいる。前面フィルターガイド２５の係止部３０，３１が外れて前面フィルターガイド２５が回動しながら開状態に移行する際に、フィルター跳ね上げ突起３６は、エアーフィルター１４の下部枠に当接してエアーフィルター１４の下部枠に引っ掛かりながら移動する。これによって、エアーフィルター１４の下部枠は、前面フィルターガイド２５の奥に隠れることなく、前方に跳ね上げられて露出する。このため、ユーザーは、エアーフィルター１４の下部枠の一部を掴んで前方にエアーフィルター１４を容易に引き出すことができる。
【００５８】
このように、本実施の形態において、前面フィルターガイド２５は、閉状態にて開口部２８を覆う面に、開状態にてエアーフィルター１４を跳ね上げる突起であるフィルター跳ね上げ突起３６が設けられている。
【００５９】
ユーザーは、エアーフィルター１４を取り出して手動で清掃したり、汚れを確認したりした後は、再度エアーフィルター１４をエアーフィルター搬送ガイド２２に収納する。そのとき、ユーザーは、前面フィルターガイド２５の根元部の両サイドに備えられた突出部３４を回転軸として、上方向に弧を描くように前面フィルターガイド２５の先端部を回転移動させる。続けて、ユーザーは、突出部３４をガイド穴３５の下部の円形部分から上部に向かって移動させる。これにより、前面フィルターガイド２５全体が上方向にスライドし、前面フィルターガイド２５の係止部３０，３１が固定部２９に係止されると、前面フィルターガイド２５が閉状態で保持される。
【００６０】
前述したように、本実施の形態では、前面フィルターガイド２５が、根元部の両側面の突出部３４と先端部の係止部３０，３１とで固定される。即ち、前面フィルターガイド２５は、両側だけでなく先端でも（三点以上で）固定される。よって、エアーフィルター１４が前面フィルターガイド２５のガイド部に当たり、力を受けて搬送される際に、前面フィルターガイド２５が前後に動くがたつきがなくなる。したがって、エアーフィルター１４と搬送ギア２７とのかかり代を確保して、エアーフィルター１４を確実に搬送できる。
【００６１】
また、本実施の形態では、前面フィルターガイド２５にストッパー部材が不要となるため、部品点数の削減に伴う生産コストの抑制が可能となる。また、ユーザーによるストッパー部材の止め忘れの操作ミスによって前面フィルターガイド２５が前後に動き、エアーフィルター１４と搬送ギア２７とのかかり代がなくなるという搬送不具合を防止できる。
【００６２】
さらに、従来のように、前面フィルターガイドを天面方向に跳ね上げて、エアーフィルターを露出させる場合は、片手で前面フィルターガイドを持ちながら、もう片手でエアーフィルターを取り出さなくてはいけないが、本実施の形態では、前面フィルターガイド２５を垂れ下がらせて、エアーフィルター１４を露出させることにより、特別な固定機構を必要とすることなく、両手で簡単にエアーフィルター１４を取り出せるようになる。
【００６３】
図９及び図１０及び図１１は、ダストボックス２６の斜視図である。図１２及び図１３及び図１４及び図１５は、ダストボックス２６の断面図である。図１６は、説明のためにダストボックス２６を切断してダストボックス２６の下部のみを示した斜視図である。図１７は、空気清浄フィルター２１の斜視図である。
【００６４】
図９から図１６に示すように、ダストボックス２６は、箱状に組み合わせられた壁板３７と、両側の壁板３７（ダストボックス２６の両側面部）に両端を揺動自在（所定の回転角の間で正転と逆転を繰り返す）に支持された除塵軸３８と、前側の壁板３７（ダストボックス２６の前面部）に取り付けられたストッパー部材３９とを備えている。
【００６５】
壁板３７は、塵埃を貯める空間である集塵室４０を形成する。除塵軸３８には、除塵ブラシ（図示していない）が取り付けられる。上側の壁板３７（ダストボックス２６の天面部）は、上面視で中央が幅方向に開口しており、側面視で略中央に除塵ブラシの先端が貫通するブラシ孔４１が形成されている。ダストボックス２６がエアーフィルター搬送ガイド２２（フィルター清掃装置１５の装置本体）に取り付けられた状態において、除塵軸３８が揺動すると、除塵ブラシも揺動する。よって、エアーフィルター１４が除塵ブラシに当接した状態で、除塵ブラシが揺動することで、エアーフィルター１４に付着している塵埃が掻き落とされる。掻き落とされた塵埃は集塵室４０に落下し、貯められる。このとき、エアーフィルター１４が移動するので、エアーフィルター１４の広い範囲を除塵することができる。
【００６６】
後側の壁板３７（ダストボックス２６の背面部）は、下部が傾斜して斜面部４２を形成している。この斜面部４２と下側の壁板３７（ダストボックス２６の底面部）とで集塵室４０の蓋４３が形成されている。
【００６７】
ダストボックス２６は、エアーフィルター搬送ガイド２２（フィルター清掃装置１５の装置本体）に取り付けられた状態では、ストッパー部材３９のバネ力によって抜け出し不能に固定されている。ユーザーは、ストッパー部材３９をスライドさせることで、ダストボックス２６を取り外すことができる。そして、蓋４３を開けることで、集塵室４０に貯まった塵埃を棄てることができる。
【００６８】
前述したように、従来は、エアーフィルターが搬送されている最中に前面フィルターガイドが前後にわずかに動くため、エアーフィルターとギアの噛み合わせが甘くなり、エアーフィルターが搬送ギアから外れる懸念があった。
【００６９】
そこで、本実施の形態では、前面フィルターガイド２５を確実に固定して、エアーフィルター１４を確実に搬送するために、前面フィルターガイド２５とダストボックス２６とを、それぞれ別体とし、前面フィルターガイド２５に接触して前面フィルターガイド２５押圧固定するための固定部４４，４５をダストボックス２６に設けている。
【００７０】
ダストボックス２６を取り付ける場合は、前面フィルターガイド２５をエアーフィルター搬送ガイド２２及びエアーフィルター搬送カバー２４（フィルター清掃装置１５の装置本体）に係止部３０，３１で固定した状態で、後からダストボックス２６を装着する。スペース効率を高めるために、前面フィルターガイド２５の回転軌跡は、ダストボックス２６が装着されるスペースを使用しているため、ダストボックス２６を外して初めて前面フィルターガイド２５は回転移動することができる。また、前面フィルターガイド２５が移動した状態から元の装着位置に戻して初めてダストボックス２６を装着することができる。したがって、前面フィルターガイド２５を閉状態とし、後からダストボックス２６を装着することで固定部４４，４５による押圧固定ができる。
【００７１】
前面フィルターガイド２５は、ダストボックス２６に備えられた固定部４４によって前方から後方に押圧されている。固定部４４は、ダストボックス２６の背面側で前面フィルターガイド２５に対向する側にある。ダストボックス２６の上部には、突出部４６が備えられている。突出部４６の背面が固定部４４として機能してもよいが、本実施の形態では、突出部４６の背面に設けられたリブ４７が固定部４４であり、前面フィルターガイド２５に接触して前面フィルターガイド２５を押圧固定する。これによって、前面フィルターガイド２５を前面フィルターガイド２５の両サイドの突出部３４だけで固定するのではなく、ダストボックス２６を装着することで固定部４４を前面フィルターガイド２５に前方から接触させて後方に力を加え、前面フィルターガイド２５を固定できる。
【００７２】
ダストボックス２６の上部に突出した突出部４６に備えられたリブ４７で前面フィルターガイド２５を固定することで、幅方向にわたって前面フィルターガイド２５が固定される。よって、前面フィルターガイド２５の両サイドだけが固定されて中央部分の固定が甘くなり、中央だけが前後にわずかに動くということがなくなる。そのため、エアーフィルター１４と搬送ギア２７の噛み合わせが甘くなり、エアーフィルター１４が搬送ギア２７から外れるといった不具合がなくなる。ダストボックス２６の上部に突出した突出部４６自体で前面フィルターガイド２５を固定しても、同様に幅方向にわたって前面フィルターガイド２５を固定できる。いずれの場合も、前面フィルターガイド２５を両サイドの突出部３４だけでなく、三点以上で確実に固定できる。
【００７３】
ダストボックス２６の上部に突出した突出部４６の面自体を固定部４４とする場合は、力が幅方向の全面にかかって幅方向で広く押さえられる利点があるが、組み付けばらつきや部品の反りによって力がかかる部分が面の中でばらつく場合もある。突出部４６の面に備えられたリブ４７を固定部４４とする場合は、組み付けばらつきや部品の反りがあっても力がかかる部分がばらつかずにリブ４７が確実に前面フィルターガイド２５に接触して前面フィルターガイド２５を押圧固定できる。固定部４４となるリブ４７は、ダストボックス２６の幅方向に複数備えたほうが、幅方向で広く前面フィルターガイド２５を押さえられるので中央部でエアーフィルター１４が浮きにくい。面から突出しているリブ４７は、線状でもよいし、球状でもよい。なお、図１１では、上下方向に線状に延びるリブ４７を幅方向に複数設ける例を示している。
【００７４】
ダストボックス２６の両側は、エアーフィルター搬送ガイド２２（フィルター清掃装置１５の装置本体）に固定される。この状態では、ダストボックス２６の天面部の突出部４６を除く部分である対向部４８が、前面フィルターガイド２５の下方に入り込んで前面フィルターガイド２５に対向している。対向部４８と突出部４６との角度は、約９０度である。即ち、対向部４８と突出部４６は、側面視でＬ字状に形成されており、前者が前面フィルターガイド２５に下方から接触（又は接近）し、後者が前面フィルターガイド２５に前方から接触する。
【００７５】
このような構成にすることで、小さい必要寸法で前面フィルターガイド２５とダストボックス２６とを配置することができる。ダストボックス２６の対向部４８が、前面フィルターガイド２５の下方に入り込むことで上下方向の寸法を小さくできる。ダストボックス２６の対向部４８と突出部４６が、略９０度の角度をなし、突出部４６が前面フィルターガイド２５を前方から後方に押圧することで、前後方向の寸法を小さくできる。
【００７６】
固定部４４によって、前面フィルターガイド２５が前後に動かないように前面フィルターガイド２５を押圧して固定することができるので、搬送ギア２７からエアーフィルター１４が外れることがなく、ダストボックス２６に一体に成形した突出部４６以外の新たな押さえ部材を不要として、部品点数を増やすことなく安価に、確実にエアーフィルター１４を搬送するフィルター清掃装置１５を得ることができる。
【００７７】
前面フィルターガイド２５は、ダストボックス２６に備えられた固定部４５によって下方から上方に押圧されている。固定部４５は、ダストボックス２６の上面側で前面フィルターガイド２５に対向する側にある。ダストボックス２６の対向部４８の表面が固定部４５として機能してもよいが、本実施の形態では、対向部４８の表面に設けられたリブ４９が固定部４５であり、前面フィルターガイド２５に接触して前面フィルターガイド２５を押圧固定する。これによって、前面フィルターガイド２５を前面フィルターガイド２５の両サイドの突出部３４だけで固定するのではなく、ダストボックス２６を装着することで固定部４５を前面フィルターガイド２５に下方から接触させて上方に力を加え、前面フィルターガイド２５を固定できる。
【００７８】
ダストボックス２６の天面部の対向部４８に備えられたリブ４９で前面フィルターガイド２５を固定することで、幅方向にわたって前面フィルターガイド２５が固定される。よって、前面フィルターガイド２５の両サイドだけが固定されて中央部分の固定が甘くなり、中央だけが前後にわずかに動くということがなくなる。そのため、エアーフィルター１４と搬送ギア２７の噛み合わせが甘くなり、エアーフィルター１４が搬送ギア２７から外れるといった不具合がなくなる。ダストボックス２６の天面部の対向部４８自体で前面フィルターガイド２５を固定しても、同様に幅方向にわたって前面フィルターガイド２５を固定できる。いずれの場合も、前面フィルターガイド２５を両サイドの突出部３４だけでなく、三点以上で確実に固定できる。
【００７９】
ダストボックス２６の天面部の対向部４８の面自体を固定部４５とする場合は、力が幅方向の全面にかかって幅方向で広く押さえられる利点があるが、組み付けばらつきや部品の反りによって力がかかる部分が面の中でばらつく場合もある。対向部４８の面に備えられたリブ４９を固定部４５とする場合は、組み付けばらつきや部品の反りがあっても力がかかる部分がばらつかずにリブ４９が確実に前面フィルターガイド２５に接触して前面フィルターガイド２５を押圧固定できる。固定部４５となるリブ４９は、ダストボックス２６の幅方向に複数備えたほうが、幅方向で広く前面フィルターガイド２５を押さえられるので中央部でエアーフィルター１４が浮きにくい。面から突出しているリブ４９は、線状でもよいし、球状でもよい。なお、図１１では、前後方向に線状に延びるリブ４９を幅方向に複数設ける例を示している。
【００８０】
固定部４５によって、前面フィルターガイド２５が前後に動かないように前面フィルターガイド２５を押圧して固定することができるので、搬送ギア２７からエアーフィルター１４が外れることがなく、新たな押さえ部材を不要として、部品点数を増やすことなく安価に、確実にエアーフィルター１４を搬送するフィルター清掃装置１５を得ることができる。
【００８１】
なお、固定部４４，４５のいずれか一方が備えられていれば、前述したような効果が得られるが、より大きな効果を得るために、固定部４４，４５の両方が備えられていることが望ましい。
【００８２】
図示していないが、前面フィルターガイド２５を前方から押すための別の手段として、室内機本体１１に取り付けられた前面パネル２０の裏面で前面フィルターガイド２５に面する部分に突出した押しリブを形成して、この押しリブによって前面フィルターガイド２５を前方から後方に押圧してもよい。この場合も、新たな押さえ部材を不要として、部品点数を増やすことなく安価に、確実にエアーフィルター１４を搬送するフィルター清掃装置１５を得ることができる。
【００８３】
ダストボックス２６の底面部からは、ダストボックス２６を持ち上げるための持ち上げリブ５０が突出している。持ち上げリブ５０があることで、ダストボックス２６が寸法のばらつきによって前後に傾くことを防止できる。即ち、ダストボックス２６が前方に傾くと、固定部４４によって後方に力を加えにくくなるため、持ち上げリブ５０を設けることで、そのような事態を防ぐことができる。また、ダストボックス２６の下面全体をエアーフィルター搬送ガイド２２（フィルター清掃装置１５の装置本体）の枠に当てるのではなく、持ち上げリブ５０だけを当てることで、ダストボックス２６の取り付け時にダストボックス２６を容易に装着できるようになる。
【００８４】
持ちあげリブ４９は、球状とすることが望ましい。持ちあげリブ４９を球状とすることで、ダストボックス２６を取り付ける際に持ちあげリブ４９がエアーフィルター搬送ガイド２２（フィルター清掃装置１５の装置本体）の枠に引っ掛かりにくくすることができる。よって、装着がスムーズになる。また、持ち上げリブ５０は、少なくとも２個以上で、ダストボックス２６の幅方向の両側に設けることが望ましい。このようにすることで、ダストボックス２６が上下に傾くこともなくなり、幅方向の全体でダストボックス２６が前後に傾かないようになる。したがって、固定部４４によって確実に前面フィルターガイド２５を前方から後方に押圧固定できる。
【００８５】
このように、本実施の形態において、ダストボックス２６は、前面フィルターガイド２５を押圧して前面フィルターガイド２５をエアーフィルター搬送ガイド２２及びエアーフィルター搬送カバー２４（フィルター清掃装置１５の装置本体）における前面フィルターガイド２５の取付位置に固定する。このため、本実施の形態によれば、前面フィルターガイド２５を確実に固定することができる。
【００８６】
ダストボックス２６は、前面フィルターガイド２５を少なくとも後方に押圧して前面フィルターガイド２５を取付位置に固定する。具体的には、ダストボックス２６は、上面に、前面フィルターガイド２５に対向する対向部４８と、対向部４８より前の位置から板状に突出する突出部４６とが設けられている。ダストボックス２６は、突出部４６の厚さ方向の両面のうち一面（背面）によって前面フィルターガイド２５を後方に押圧する。
【００８７】
突出部４６の厚さ方向の両面のうち前面フィルターガイド２５を後方に押圧する面（背面）には、前面フィルターガイド２５に接触するリブ４７が設けられていることが望ましい。リブ４７は、ダストボックス２６の左右方向（幅方向）に沿って複数設けられていることが望ましい。
【００８８】
また、ダストボックス２６は、前面フィルターガイド２５を少なくとも上方に押圧して前面フィルターガイド２５を取付位置に固定する。具体的には、ダストボックス２６は、対向部４８の表面によって前面フィルターガイド２５を上方に押圧する。対向部４８の表面には、前面フィルターガイド２５に接触するリブ４９が設けられていることが望ましい。リブ４９は、ダストボックス２６の左右方向（幅方向）に沿って複数設けられていることが望ましい。
【００８９】
さらに、ダストボックス２６は、下面に、エアーフィルター搬送ガイド２２（フィルター清掃装置１５の装置本体）を押圧する持ち上げリブ５０が設けられている。持ち上げリブ５０は、球状（例えば、半球状）であることが望ましい。また、持ち上げリブ５０は、ダストボックス２６の左右方向（幅方向）に沿って複数配置されていることが望ましい。
【００９０】
従来のダストボックスは、断面が略四角形の箱型形状をしており、前面パネルと熱交換器の前後方向の間に設置される。ダストボックスの前面部は、略平面であり、前面パネルを開いたときにユーザーに対して露出してダストボックスの着脱がユーザーによって実施される。ダストボックスの下面部は、略平面であり、エアーフィルター搬送ガイドの枠に設置される。ダストボックスの背面部は、略平面であり、固定しやすいように、また、ダストボックスを取り付ける際のガイドとなるように、背面部の下方の一部はエアーフィルター搬送ガイドの枠に設置される。ダストボックスの天面部は、除塵ブラシを備えて開口した略平面又はわずかに中央開口部が凹んだ曲率の大きな曲面であり、エアーフィルターが移動する経路に対向して設置される。
【００９１】
本実施の形態において、ダストボックス２６は、断面が略台形の箱型形状をしている。台形の上辺と下辺とは平行であり、上辺が下辺より長い。ダストボックス２６は、前面パネル２０と熱交換器１３ａ，１３ｂの前後方向の間に設置されている。ダストボックス２６の前面部は、略平面であり、前面パネル２０を開いたときにユーザーに対して露出する。ダストボックス２６の下面部は、略平面であり、エアーフィルター搬送ガイド２２の枠に設置される。ダストボックス２６の背面部は、下方から上方で後方に向かって斜めに傾斜している。ダストボックス２６の背面部は、後方に備えられる熱交換器１３ａ，１３ｂに対向していて、露出している。
【００９２】
ダストボックス２６の背面部が下方から上方で後方に向かって斜めに傾斜することで、下方の後方に生まれたスペースに空気清浄フィルター２１の一部等、他の部品を置くことができる。したがって、空気調和機の奥行（前後方向）の寸法を小さくすることができる。
【００９３】
熱交換器１３ａ，１３ｂとダストボックス２６との間は、ダストボックス２６に露がつかないようにするために、また、組立てばらつきで熱交換器１３ａ，１３ｂとダストボックス２６とが接触しないようにするために、所定の距離を空ける必要がある。ダストボックス２６の背面部が下方から上方で後方に向かって斜めに傾斜することで、下方の後方にスペースが生まれて所定の距離が確保されることになる。よって、ダストボックス２６と前面下段の熱交換器１３ｂとを接近させて配置することができ、空気調和機の奥行（前後方向）の寸法を小さくすることができる。
【００９４】
本実施の形態において、エアーフィルター搬送ガイド２２（フィルター清掃装置１５の装置本体）は、エアーフィルター１４を通過した空気を清浄化する空気清浄フィルター２１を着脱自在に保持する。前述したように、空気清浄フィルター２１の代わりに、空気清浄装置が用いられてもよい。空気清浄フィルター２１及び空気清浄装置は、いずれも空気を清浄化するユニットの例である。
【００９５】
空気清浄フィルター２１は、前面パネル２０の後方にあるダストボックス２６のさらに後方で、熱交換器１３ａ，１３ｂの前方に設置される。ユーザーは、空気清浄フィルター２１を取り出してメンテナンスを実施することができる。
【００９６】
図１７に示すように、空気清浄フィルター２１は、枠５１を有している。枠５１は、エアーフィルター搬送ガイド２２の搬送ガイド側板に固定される。枠５１には、前方に向かって延びる延出部５２が設けられている。延出部５２は、エアーフィルター搬送ガイド２２に形成された窪みに嵌め込まれる。
【００９７】
空気清浄フィルター２１の枠５１の延出部５２は、空気清浄フィルター２１のメンテナンスを実施する際に手で掴んで引き出すための取っ手として機能する。枠５１の延出部５２は、空気清浄フィルター２１の前面にある。このような配置にすることで、ユーザーが延出部５２を掴みやすくなる。なお、延出部５２は、取っ手でなくてもよく、例えば、空気清浄フィルター２１の枠５１のカバー部であってもよい。
【００９８】
空気清浄フィルター２１は、エアーフィルター収納ガイド２３の下方であって、ダストボックス２６と熱交換器１３ａ，１３ｂとの間に、前後方向に比べて幅方向が大きい寸法で、水平に設置されるか、前側を後側に比べて低くなるように傾けて配置される。このようにすることで、上方から来る風を通りやすくして、エアーフィルター収納ガイド２３の下方であってダストボックス２６と熱交換器１３ａ，１３ｂとの間のデッドスペースを有効に活用して空気調和機の室内機１０の奥行寸法や高さ寸法を小さくできる。
【００９９】
延出部５２は、後方から前方で下方に向かって斜めに傾斜する傾斜部５３を備えている。傾斜部５３の前方には、平面部５４がある。平面部５４は、エアーフィルター搬送ガイド２２に形成された窪みに配置される。傾斜部５３及び平面部５４は、延出部５２の一部である。後方から前方で下方に向かって斜めに傾斜する傾斜部５３は、下方から上方で後方に向かって斜めに傾斜するダストボックス２６の斜面部４２の下方で、ダストボックス２６の上下高さと重なる範囲に配置される。ダストボックス２６の斜面部４２の下方とは、斜面部４２が斜めに傾斜して生まれる側面視三角形のスペースである。
【０１００】
つまり、延出部５２の前方にダストボックス２６を前後方向に重ならないように並べて配置する場合に比べて、本実施の形態では、スペースを有効に活用して空気調和機の室内機１０の奥行寸法を小さくできる。
【０１０１】
また、延出部５２と斜面部４２のない四角いダストボックスを上下方向に重ねて配置する場合に比べて、本実施の形態では、スペースを有効に活用して空気調和機の室内機１０の高さを低くできる。
【０１０２】
ダストボックス２６の斜面部４２と延出部５２の傾斜部５３とをそれぞれ略等しい角度で傾斜させて、それぞれの傾斜が合うようにダストボックス２６の斜面部４２の下方に延出部５２の傾斜部５３が来るように配置することが望ましい。略等しい角度とは、差が３０度以内の角度である。
【０１０３】
ここで、空気清浄フィルター２１をユーザーがメンテナンス後に設置しようとする場合、延出部５２がエアーフィルター搬送ガイド２２に形成された窪みにきちんと嵌らなかったり、ユーザーの窪みに向けて空気清浄フィルター２１を押す力が足りなかったり、そもそもユーザーが嵌め方や押し込み方がわからなくて空気清浄フィルター２１を置くだけになってしまい、延出部５２が固定されずに上方に浮いてしまうおそれがある。
【０１０４】
ダストボックス２６の後方に空気清浄フィルター２１があるため、ユーザーは、ダストボックス２６を外した後に、空気清浄フィルター２１を外すことになる。また、空気清浄フィルター２１を装着した後にダストボックス２６を装着することになる。しかし、延出部５２が固定されずに上方に浮いてしまうと、従来のように断面が四角形のダストボックスは後から装着することができない。また、空気清浄フィルター２１の代わりに空気清浄装置を用いる場合には、電気的接点がつながらないことによる接続不良や気中放電による異音発生等の品質低下を招くことになる。
【０１０５】
そこで、本実施の形態では、空気清浄フィルター２１の延出部５２が上方に浮いてしまっていても、ダストボックス２６の背面部（特に、斜面部４２）が空気清浄フィルター２１の延出部５２に当接するようにしている。このようにすることで、たとえ延出部５２が正規の位置から上方に浮いていても、ユーザーがダストボックス２６を取り付ける動作をするだけで、ユーザーの意図に関係なく、ダストボックス２６の背面部が延出部５２に当接しながら、延出部５２を後方及び下方に強制的に押し込む。よって、エアーフィルター搬送ガイド２２に形成された窪みに延出部５２が自動的に嵌る。
【０１０６】
ダストボックス２６の背面部には、下方から上方で後方に向かって斜めに傾斜する斜面部４２が形成されているので、ダストボックス２６を取り付ける際に、背面部の斜面部４２を使って、斜面部４２の上方から下方に向かって、延出部５２を下方にスライドさせながら、或いは、延出部５２を下方に滑らせながら、大きな力を必要とすることなく、確実に下方に導くことができる。
【０１０７】
仮に、背面部が下方から上方で後方に向かって斜めに傾斜していない従来の断面四角形状のダストボックスを使用したとすると、ダストボックスの背面部が延出部５２に当接した時点で引っ掛かり、延出部５２が動かなくなるので、容易に延出部５２を下方に導くことができない。
【０１０８】
ダストボックス２６の背面部は、背面部全体の長さに対する斜面部４２の長さの割合が半分以上であると、延出部５２に当たる面積が大きくなり、延出部５２を下方にスライドさせながら、或いは、延出部５２を下方に滑らせながら、確実に下方に導くことができる。
【０１０９】
ダストボックス２６の背面部は、斜面部４２と、斜面部４２以外の（斜めに傾斜していない）上下方向に延びた部分の二面以上からなることで、除塵ブラシを集塵室４０に設置しやすくなる。即ち、ダストボックス２６の背面部を斜面部４２の一面のみで形成した場合に比べて、ダストボックス２６の背面部を二面以上で形成した場合のほうが集塵室４０の容積を大きくすることができる。
【０１１０】
ダストボックス２６の背面部の斜面部４２の高さが、背面部の斜面部４２以外の部分の高さより高ければ、延出部５２に当たる面積が大きくなる。よって、延出部５２を下方にスライドさせながら、或いは、延出部５２を下方に滑らせながら、確実に下方に導くことができる。
【０１１１】
ダストボックス２６の背面部の斜面部４２には、空気清浄フィルター２１の延出部５２が収納される背面窪み５５が設けられている。背面窪み５５は、ダストボックス２６の背面部の斜面部４２を断面視でＬ字状にくり抜いた窪みである。延出部５２とダストボックス２６とが高さ方向（上下方向）で重なってラップするので、スペースを有効に活用して空気調和機の室内機１０の高さを低くできる。
【０１１２】
ダストボックス２６の背面部の背面窪み５５とエアーフィルター搬送ガイド２２に形成された窪みとで、空気清浄フィルター２１の延出部５２が挟み込まれて固定される。そのため、延出部５２が上下方向に動くことがなく、確実に空気清浄フィルター２１を固定できる。
【０１１３】
このように、本実施の形態において、ダストボックス２６は、空気清浄フィルター２１を押圧して空気清浄フィルター２１をエアーフィルター搬送ガイド２２（フィルター清掃装置１５の装置本体）における空気清浄フィルター２１の保持位置に固定する。このため、本実施の形態によれば、空気清浄フィルター２１をフィルター清掃装置１５の正しい位置に取り付けやすくすることができる。
【０１１４】
ダストボックス２６は、背面の少なくとも一部分が斜め下向きに傾斜し、その傾斜した部分である斜面部４２によって空気清浄フィルター２１を押圧する。例えば、ダストボックス２６は、斜面部４２によって、空気清浄フィルター２１の前面の下部に設けられた取っ手である延出部５２を後方及び下方に押圧する。斜面部４２には、延出部５２の先端部を収納するための窪みである背面窪み５５が形成されていることが望ましい。
【０１１５】
斜面部４２の表面積が大きいほど、ダストボックス２６は、斜面部４２によって空気清浄フィルター２１を正しい位置まで確実に押圧することができる。よって、ダストボックス２６は、背面の斜面部４２の前後方向の寸法が背面の他の部分の前後方向の寸法より大きいことが望ましい。また、ダストボックス２６は、背面の斜面部４２の上下方向の寸法が背面の他の部分の上下方向の寸法より大きいことが望ましい。
【０１１６】
ダストボックス２６の背面の全体を斜面部４２としてもよいが、その場合、集塵室４０の容積が減少してしまう。よって、ダストボックス２６は、背面の一部に垂直に延びた部分を有することが望ましい。即ち、ダストボックス２６は、背面の斜面部４２を除く部分が垂直に延びていることが望ましい。
【０１１７】
本実施の形態では、上記のように、ダストボックス２６の背面に斜面部４２があるため、空気清浄フィルター２１がエアーフィルター搬送ガイド２２（フィルター清掃装置１５の装置本体）における空気清浄フィルター２１の保持位置の手前にある状態でダストボックス２６がエアーフィルター搬送ガイド２２（フィルター清掃装置１５の装置本体）の前面に取り付けられると、空気清浄フィルター２１がダストボックス２６によって正しい保持位置まで押し込まれて固定される。
【０１１８】
従来は、ダストボックスの前面部に固定用のストッパー部材が備えられる場合、ダストボックスの奥行方向のスペースがとられるため、室内機の奥行寸法が大きくなっていた。また、ストッパー部材が小さいため、掴みづらく、取り出しにくかった。
【０１１９】
また、従来のダストボックスは、高さ方向のスペースを大きくとりすぎてしまい、室内機の高さ寸法が大きくなっていた。また、室内機本体の吹出口を大きくすることができなかった。
【０１２０】
さらに、従来は、空気調和機が空気清浄フィルターを備える場合、その取っ手をユーザーが取り出しやすいようになるべく前方に配置すると、ダストボックスと空気清浄フィルターの取っ手とが干渉してしまうため、これを避けるには室内機の高さ寸法を大きくせざるを得なかった。
【０１２１】
そこで、本実施の形態では、ダストボックス２６の集塵室４０（塵埃を貯める空間）を形成する壁板３７に、集塵室４０の容積を減少させる方向に凹む凹部５６，５７が形成されている。このため、本実施の形態によれば、ダストボックス２６にストッパー部材３９等を設けるスペースを（凹部５６，５７の内側に）確保しつつ、空気調和機の室内機１０を小型化することができる。凹部５６，５７は、指を挿入したり、指で掴んだりする部分としても活用できる。
【０１２２】
例えば、凹部５６の内側には、ダストボックス２６をエアーフィルター搬送ガイド２２（フィルター清掃装置１５の装置本体）に固定するためのストッパー部材３９が収納されている。同じ凹部５６の内側には、手指を引っ掛けるための突起である指引っ掛け部５８が形成されている。
【０１２３】
凹部５６は、ダストボックス２６の前面に形成されており、ダストボックス２６の前面から出っ張りをなくす役割を果たしている。即ち、凹部５６の内側に、ストッパー部材３９及び指引っ掛け部５８を設けることで、ストッパー部材３９及び指引っ掛け部５８がダストボックス２６の前面から出っ張らないようにすることができる。
【０１２４】
また、例えば、凹部５７は、ダストボックス２６の上面の隅に形成され、周縁の少なくとも一部分が板状であり、その板状の部分が手指で掴むための取っ手５９になっている。
【０１２５】
なお、前述した背面窪み５５も、ダストボックス２６の壁板３７に、集塵室４０の容積を減少させる方向に凹むように形成された凹部である。
【０１２６】
凹部５６に収納されているストッパー部材３９は、バネ部とバネ収納部と摘み部と抜け出し防止用突起部とからなる。バネ収納部と摘み部と抜け出し防止用突起部は、一体に形成されるか、又は、二つの樹脂パーツを組み合わせて形成される。
【０１２７】
ダストボックス２６の幅方向の片方の端部（両側の壁板３７の一方の外面）には、固定用の抜け出し防止手段である突起６０が備えられている。もう片方の端部（両側の壁板３７の他方の近傍）には、ストッパー部材３９がある。ストッパー部材３９がある側の端部は、正面視でＬ字形状に後方に凹ませてくり抜かれた形状になっている。そのため、集塵室４０の容積が減少している。くり抜くことで生まれた凹部５６には、ストッパー部材３９が収納されている。ストッパー部材３９は、抜け出し防止手段となり、ダストボックス２６をエアーフィルター搬送ガイド２２（フィルター清掃装置１５の装置本体）に固定する。ユーザーが、摘み部を摘みながらストッパー部材３９を左右方向に動かすことで、ストッパー部材３９による固定が解除される。
【０１２８】
凹部５６の左右方向に長い区画には、ストッパー部材３９が収納されている。この区画は、上下左右が壁で仕切られている。上壁、下壁又はその両方には、ストッパー部材３９を固定するためのリブが備えられている。左壁又は右壁には、抜け出し防止用突起部が挿入される丸穴が空けられている。丸穴から抜け出し防止用突起部が飛び出ている状態にて、ダストボックス２６はエアーフィルター搬送ガイド２２（フィルター清掃装置１５の装置本体）に固定される。ストッパー部材３９を左右方向にスライドさせると、丸穴から抜け出し防止用突起部が引っ込んで飛び出ない状態となり、ダストボックス２６の固定が解除される。
【０１２９】
このような構成をとることによって、ダストボックス２６がストッパー部材３９を備えていても、ストッパー部材３９の奥行寸法（厚み）分だけダストボックス２６の奥行寸法（厚み）が大きくなるということがない。したがって、奥行方向にコンパクトな空気調和機が得られる。
【０１３０】
凹部５６の上下方向に長い区画には、指を挿入するための空間が形成されている。この区画は、上下左右が壁で仕切られている。ストッパー部材３９が収納された区画との隔壁に相当する左壁又は右壁（側壁）には、主に人差し指を押し当てることができる。或いは、側壁は、主に親指と人差し指とで摘むことができる。側壁は、ダストボックス２６の前面側でダストボックス２６の高さ範囲内で上下方向に延びている。ユーザーは、側壁を押したり、摘んだりして、ダストボックス２６を手前に引くことで、ダストボックス２６を容易に取り外すことができる。同様に、ユーザーは、側壁を押したり、摘んだりして、ダストボックス２６を奥に押すことで、ダストボックス２６を容易に取り付けることができる。
【０１３１】
このような構成をとることによって、ダストボックス２６に指を挿入するための空間が形成されていても、その空間の奥行寸法（厚み）分だけダストボックス２６の奥行寸法（厚み）が大きくなるということがない。したがって、奥行方向にコンパクトな空気調和機が得られる。
【０１３２】
ダストボックス２６の天面部において、ダストボックス２６の幅方向のストッパー部材３９がある側の端部の上方にある部分は、上面視で四角形状に下方に凹ませてくり抜かれた形状になっている。そのため、集塵室４０の容積が減少している。くり抜くことで生まれた凹部５７の周縁の一部には、取っ手５９が形成されている。
【０１３３】
凹部５７は、前後左右が壁で仕切られている。前壁は、ダストボックス２６の前面部の一部になっている。この前壁が、手で掴むための取っ手５９である。取っ手５９には、指を引っ掛けることもできる。ユーザーは、手で取っ手５９を掴んで、手前に引くことで、ダストボックス２６を容易に取り外すことができる。
【０１３４】
このような構成をとることによって、ダストボックス２６に取っ手５９が設けられていても、取っ手５９の高さ分だけダストボックス２６の高さが高くなるということがない。したがって、高さ方向にコンパクトな空気調和機が得られる。
【０１３５】
前述したように、背面窪み５５は、ダストボックス２６の背面部の斜面部４２を断面視でＬ字状にくり抜いた形状になっている。そのため、集塵室４０の容積が減少している。
【０１３６】
背面窪み５５は、前壁、左壁、右壁、上壁で仕切られている。背面窪み５５には、空気清浄フィルター２１の延出部５２を収納することができる。
【０１３７】
このような構成をとることによって、空気清浄フィルター２１の延出部５２の奥行寸法及び高さ寸法の分だけ空気調和機の室内機１０の寸法が大きくなるということがない。したがって、コンパクトな空気調和機が得られる。
【０１３８】
以上、本発明の実施の形態について説明したが、この実施の形態を部分的に実施しても構わない。例えば、この実施の形態の説明において「部」として説明するもののうち、いずれか１つのみを採用してもよいし、いくつかの任意の組み合わせを採用してもよい。なお、本発明は、この実施の形態に限定されるものではなく、必要に応じて種々の変更が可能である。
【符号の説明】
【０１３９】
１０  空気調和機の室内機、１１  室内機本体、１２  送風ファン、１３ａ  熱交換器、１３ｂ  熱交換器、１３ｃ  熱交換器、１４  エアーフィルター、１５  フィルター清掃装置、１６  吸込口、１７  吹出口、１８  ノズル、１９  上下風向可変ベーン、２０
前面パネル、２１  空気清浄フィルター、２２  エアーフィルター搬送ガイド、２３  エアーフィルター収納ガイド、２４  エアーフィルター搬送カバー、２５  前面フィルターガイド、２６  ダストボックス、２７  搬送ギア、２８  開口部、２９  固定部、３０
係止部、３１  係止部、３２  貫通穴、３３  凸部、３４  突出部、３５  ガイド穴、３６  フィルター跳ね上げ突起、３７  壁板、３８  除塵軸、３９  ストッパー部材、４０  集塵室、４１  ブラシ孔、４２  斜面部、４３  蓋、４４  固定部、４５  固定部、４６  突出部、４７  リブ、４８  対向部、４９  リブ、５０  持ち上げリブ、５１  枠、５２  延出部、５３  傾斜部、５４  平面部、５５  背面窪み、５６  凹部、５７  凹部、５８  指引っ掛け部、５９  取っ手、６０  突起。
【図１】
0006355803.tif 000002
【図２】
0006355803.tif 000003
【図３】
0006355803.tif 000004
【図４】
0006355803.tif 000005
【図５】
0006355803.tif 000006
【図６】
0006355803.tif 000007
【図７】
0006355803.tif 000008
【図８】
0006355803.tif 000009
【図９】
0006355803.tif 000010
【図１０】
0006355803.tif 000011
【図１１】
0006355803.tif 000012
【図１２】
0006355803.tif 000013
【図１３】
0006355803.tif 000014
【図１４】
0006355803.tif 000015
【図１５】
0006355803.tif 000016
【図１６】
0006355803.tif 000017
【図１７】
0006355803.tif 000018